(57)【要約】【課題】防水性を確保した上で、簡単に製造できるようにする。【解決手段】内部に電気回路を備え、開口部（５ａ）を備えるケース（５）と、ケースの開口部を覆う蓋（１）と、ケース及び蓋の間に挟むパッキン（４）とを備える電気回路部品において、パッキンは弾性シール材（１１）と強度部材（１０）を組み合わせた構造を有し、ケース開口部の外周の少なくとも一部に内側へ向けて傾斜する傾斜部（６）を設けた。ケースと蓋との間の隙間はパッキンの弾性シール材により液密的にシールされるので、防水構造とできる。ケースの開口部にパッキンを入れると、パッキンは傾斜部に沿って入り込み、所定の位置に配置されるので、蓋をケースに固定する際に、パッキンがずれたり、かみこんだりしない。【選択図】図３
2006049701.tif 000002
【特許請求の範囲】
【請求項１】
内部に電気回路を備え、開口部を備えるケースと、該ケースの開口部を覆う蓋と、前記ケース及び蓋の間に挟むパッキンとを備える電気回路部品において、
前記パッキンは弾性シール材と強度部材を組み合わせた構造を有し、
前記ケース開口部の外周の少なくとも一部に内側へ向けて傾斜する傾斜部を設けたことを特徴とする防水構造を持つ電気回路部品。
【請求項２】
請求項１において、前記蓋の、組み付け後に前記パッキンを超えて内側へ入り込む部分に、傾斜面を設けたことを特徴とする防水構造を持つ電気回路部品。
【請求項３】
請求項１又は２において、前記ケースは一面のみ開放された箱状とし、前記蓋は回路基板が固定されたコネクタであることを特徴とする防水構造を持つ電気回路部品。
【請求項４】
開口部を備えるケースと、該ケースの開口部を覆う蓋と、前記ケース及び蓋の間に挟むパッキンとを備える筐体において、
前記パッキンは弾性シール材と強度部材を組み合わせた構造を有し、
前記ケース開口部の外周の少なくとも一部に内側へ向けて傾斜する傾斜部を設けたことを特徴とする防水構造を持つ筐体。
【発明の詳細な説明】
【技術分野】
【０００１】
本発明は、防水構造を持つ電気回路部品および筐体に関する。
【背景技術】
【０００２】
コンピュータやセンサなどを車載用として用いる場合には、ケースの内部に水が入らないように防水構造を必要とする場合がある。
【０００３】
特許文献１には、樹脂モールドされたハウジングと、防水空間形成部と、防水空間内に設けられた内部回路を有し防水用接着剤１１が充塞されている構造が開示されている。この構造では組付け時に接着剤の充填設備が必要で且つ、接着剤の硬化時間が必要になるなどの問題が発生する。
【０００４】
また、特許文献２には、箱型に形成された本体と蓋との間にゴムパッキン２２、４３を介在させ防水筐体とした温度変化の激しい環境下でも防水性を良好に保つ構造が開示されている。この構造においては、ゴムパッキンは箱が大きくなると、当然ゴムパッキンも大きくなる、この場合ゴムパッキンはゴムのその性質故  剛性が低く、屈曲性も大きい為組付け時の取り扱いに時間がかかる。
【０００５】
パッキンについては、特許文献３に示すような基材１２に発泡ゴム１３を被着した構造のガスケットがある。
【特許文献１】特開２００３−２８４２１８号公報（［００２６〜００２７］、図３参照）
【特許文献２】特開平０６−２１６５４４号公報（［０００８］、［００１２］図２、図３参照）
【特許文献３】特開平０８−１０５５４７号公報
【発明の開示】
【発明が解決しようとする課題】
【０００６】
本発明は、防水性を確保した上で、電気回路部品および筐体を簡単に製造できるようにすることを課題とする。
【課題を解決するための手段】
【０００７】
上記した課題を解決するために講じた技術的手段は、内部に電気回路を備え、開口部を備えるケースと、ケースの開口部を覆う蓋と、ケース及び蓋の間に挟むパッキンとを備える電気回路部品において、パッキンは弾性シール材と強度部材を組み合わせた構造を有し、ケース開口部の外周の少なくとも一部に内側へ向けて傾斜する傾斜部を設けたことである。これによれば、ケースと蓋との間の隙間はパッキンの弾性シール材により液密的にシールされるので、防水構造とできる。また、パッキンには強度部材が備わっており、かつ、ケース開口部の外周の少なくとも一部に内側へ向けて傾斜する傾斜部を設けているので、ケースの開口部にパッキンを入れると、パッキンは傾斜部に沿って入り込み、所定の位置に配置される。
【０００８】
更に、蓋の、組み付け後にパッキンを超えて内側へ入り込む部分に、傾斜面を設けている。これによれば、蓋とケースを組み付ける際に、間にパッキンをおいておくだけで、パッキンは蓋の傾斜面で押されるとともに、ケースの傾斜部に沿って入り込み、所定の位置に配置される。
【０００９】
更に、ケースを一面のみ開放された箱状とし、蓋は回路基板が固定されたコネクタとした。これによれば、コネクタとケースの開口部との間のみ防水構造とすればよく、コネクタとケースを固定する際に、パッキンを置くだけで、電気回路部品の防水性能を得ることができるので、安価に製造できる。
【００１０】
また、開口部を備えるケースと、該ケースの開口部を覆う蓋と、前記ケース及び蓋の間に挟むパッキンとを備える筐体において、パッキンは弾性シール材と強度部材を組み合わせた構造を有し、ケース開口部の外周の少なくとも一部に内側へ向けて傾斜する傾斜部を設けた。これによれば、ケースと蓋との間の隙間はパッキンの弾性シール材により液密的にシールされるので、防水構造とできる。また、パッキンには強度部材が備わっており、かつ、ケース開口部の外周の少なくとも一部に内側へ向けて傾斜する傾斜部を設けているので、ケースの開口部にパッキンを入れると、パッキンは傾斜部に沿って入り込み、所定の位置に配置される。
【発明の効果】
【００１１】
本発明によれば、常にケースの幅の狭いシール面を自動的に位置あわせすることができるので、特別な保持冶具や設備を使うことなく、防水効果を確保することができる。
【発明を実施するための最良の形態】
【００１２】
本発明に従った実施の形態を図面に基づいて説明する。
【００１３】
図１及び２はパッキン４を示している。パッキン４は内側が中空のリング状で平坦な板状の形状をしている。パッキン４はねじ止めのために３つの穴部４ｂを備える。パッキン４は、強度部材である薄い鋼板、あるいは樹脂で形成された板１０の両面に、防水性を損なわない弾性を有するシール材１１が焼き付けまたはコーティングされていることで形成されている。シール材１１は、たとえばゴムを用いる。このため、図２の左右方向からは弾性を有し、ねじれやよじれの起こりにくい構造になっている。
【００１４】
図３は電気回路部品の組み付け図を示している。ケース５は開口部５ａを有する箱状の部材で、たとえば、樹脂で成型されている。開口部５ａの蓋となるコネクタ１は回路基板３の配線と電気的に接続されたターミナルを備えており、図示しないメス側コネクタをはめ込みうる形状をしている。コネクタ１と回路基板３とはねじ２により固定されている。このように、コネクタ１と回路基板３が一体となった状態で、ケース５の開口部５ａに、回路基板３が内部に密閉されるように組みつけられ、ねじ９によりケース５とコネクタ１が固定される。この際、ケース５とコネクタ１の間には、前述のパッキン４が介挿される。
【００１５】
ケース５の開口部５ａには、図４に示すような、ガイド部７と傾斜部６が設けられている。ガイド部７はパッキン４の外周形状に合わせて製造されている。傾斜部６は、ケース５の開口部の外周の少なくとも一部に設けられ内側へ向けて傾斜している。パッキン４は図示上下方向に対して剛性が高いので、パッキン４をガイド部に挿入する際、パッキン４の端部が傾斜部６に当たると、パッキン４はガイド部７に収まるように移動する。このため、パッキン４はきれいにガイド部７に収まる。
【００１６】
また、図３に示すように、コネクタ１の、組み付け後にパッキン４を超えて内側へ入り込む部分に、傾斜面８を設けている。これによれば、コネクタ１とケース５を組み付ける際に、間にパッキン４をおいておくと、パッキン４は傾斜面８で押されて、コネクタ１のシール面１ａに当たるように押される。その上で、ケース５の傾斜部６に沿って入り込むので、コネクタ１のシール面１ａとケース５のシール面５ｂとの間に正確にパッキン４が自動的に配置される。この状態でねじ９によりコネクタ１とケース５が固定されるので、高い防水効果を得ることができる。ねじ９はパッキン４の穴部４ｂを通過する。
【００１７】
なお、パッキン４は、シール材１１が焼き付けまたはコーティングされていることで形成したが、たとえば、強度部材である薄板の両面にゴムを貼り付ける構造でもよい。
【００１８】
上記実施態様では、コネクタ１をケース５の蓋としたが、コネクタとは別の部材でケースに蓋を設ける必要がある場合は、別に蓋を設け、この蓋とケースの間に本実施態様のパッキンを用いるようにしてもよい。
【００１９】
本実施態様においては、コネクタ１とケース５を固定する際にパッキン４を間におくだけで自動的にパッキンの位置あわせができるので、特別な保持冶具や設備を用いる必要がなく、機械組み付けを用いることもできる。
【図面の簡単な説明】
【００２０】
【図１】本発明の実施態様のパッキンを示す正面図である。
【図２】図１のパッキンの断面図である。
【図３】本発明の実施態様である電気回路部品の組み付け図である。
【図４】図３のａ-ａ断面図である。
【符号の説明】
【００２１】
１  コネクタ
２  ねじ
３  回路基板
４  パッキン
４ｂ  穴部
５  ケース
５ａ  開口部
５ｂ  シール面
６  傾斜部
７  ガイド部
８  傾斜面
９  ねじ
１０  板
１１  シール材
１ａ  シール面
【図１】
2006049701.tif 000003
【図２】
2006049701.tif 000004
【図３】
2006049701.tif 000005
【図４】
2006049701.tif 000006